【事件の表示】
　特願２００１−２３７３８９「積層型ＬＣフィルタアレイ」拒絶査定不服審判事件〔平成１５年　２月２１日出願公開、特開２００３−　５１７２９〕について、次のとおり審決する。
【結　論】
　本件審判の請求は、成り立たない。
【理　由】
第１．手続の経緯 
　本願は、平成１３年８月６日の出願であって、平成１６年７月９日付けの拒絶理由の通知に対して、その指定された期間内の同年９月１０日付けで意見書及び補正書が提出されたが、同年１０月８日付で拒絶査定がなされ、これに対して、同年１１月１７日に拒絶査定に対する審判請求がなされたものである。
 　 
第２．本願発明について 
　
１．本願発明
　本願の請求項１に係る発明（以下、「本願発明」という。）は、平成１６年９月１０日付けの手続補正書の請求項１に記載された事項により特定される、以下のとおりのものである。 
　
「【請求項１】　導体パターンを内部に配置した状態で絶縁体層を積層して形成された積層型ＬＣフィルタアレイであって、
　複数の導体パターンをそれぞれ絶縁体層に配置して複数ラインのコイルを形成すると共に、コイルが存在する絶縁体層と異なる絶縁体層の部分で、絶縁体層を挟んで導体パターンを相互に対向させて複数ラインのコンデンサを形成し、
　このコンデンサが形成される各絶縁体層に、複数ラインのコンデンサの内の１つのコンデンサのみが設置されることで、各ラインのコイルにそれぞれ接続される複数のコンデンサを、絶縁体層が積層される方向に沿ってそれぞれ配置し、
　絶縁体層を積層して形成された本体積層部の外側に複数の信号用外部電極及び接地用外部電極が配置され、
　各ラインのコイルの両端側がそれぞれ信号用外部電極を介してコンデンサの一つの導体パターンにそれぞれ接続されることで、一つのコイル当たり二つずつのコンデンサが接続される構成としかつ、
　各ラインのコイルの一端側に接続される各コンデンサが順次積層され、各ラインのコイルの他端側に接続される各コンデンサが続いて順次積層され、
　各コンデンサの他の導体パターンが同一の接地用外部電極にそれぞれ直接接続されることを特徴とする積層型ＬＣフィルタアレイ。」
　
２．刊行物の記載
　
　刊行物１記載発明 
　原査定の拒絶の理由（平成１６年７月９日付け拒絶理由通知書）に引用された特開平３−６０１４８号公報（平成３年３月１５日出願公開。以下、「刊行物１」という。）には、積層型ＬＣＲ素子に関して、図面と共に、以下の事項が記載されている。　
　「課題を解決するための手段
　以上の課題を解決するため、本発明に係る積層型ＬＣＲ素子は、
　磁性体層とコンデンサ電極層とが交互に積層されているコンデンサ部と、
　磁性体層とコイル用渦巻パターンとを該コイル用渦巻パターンが層間で接続されるように交互に積層されているコイル部と、
　抵抗体が磁性体層の表面に形成されている抵抗部と、
　を備え、前記コンデンサ部とコイル部と抵抗部とが一体積層構造をなし、かつ、前記コンデンサ電極層、コイル用渦巻パターン及び抵抗体が外部電極を介して電気的に接続していることを特徴とする。」（第２頁左上欄第１５行乃至右上欄第９行）
　
　「第６図に示す積層型ＬＣＲ素子５０は、各４個のコイル、コンデンサ及び抵抗を備えたアレータイプの素子である。第６図（ａ）に示すようにコイル部５１とコンデンサ部５２とがダミーシート１５を介して上下に積層され、さらに、コイル部５１の上側にダミーシート１５を介して抵抗部５３が積層されている。外部電極（Ａ１），（Ｃ１）には各４個あるうちの一番左端の抵抗体５４及びコイル用渦巻パターン５５の両端が接続されていて、外部電極（Ａ１），（Ｃ１）間にレジスタンスＲとインダクタンスＬとが並列関係を有して形成されている。外部電極（Ａ１），（Ｂ１）には４個あるうちの一番左端のコンデンサ電極５６ｂ，５６ｂと５６ａ，５６ａがそれぞれ接続されていて、外部電極（Ａ１）−（Ｂ１）間にキャパシタンスＣが形成されている。同様にして、他の外部電極（Ａ２）〜（Ｃ４）もそれぞれ抵抗体５４及びコイル用渦巻パターン５５の両端に、またはコンデンサ電極５６ａ，５６ｂに接続されて、外部電極間にレジスタンスＲ、インダクタンスＬ、またはキャパシタンスＣを形成している。従って、第６図（ｃ）に示す４個の回路が並設されたアレータイプの積層型ＬＣＲ素子５０が得られる。但し、本発明は、アレータイプに限定されるものではなく、レジスタンスＲ、インダクタンスＬ、キャパシタンスＣを任意の位置で、複数個形成することも可能であり、種々の回路を任意に構成することができる。」（第５頁右上欄第１９行乃至右下欄第４行）
　
　また、図６には外部電極（Ｂ１）、（Ｂ２）、（Ｂ３）、（Ｂ４）が接地されることが示されている。
　
　これらの記載によれば、刊行物１には、次の発明（以下、「刊行物１記載発明」という。）が記載されているものと認められる。 
　
　「磁性体層とコンデンサ電極層とが交互に積層されているコンデンサ部と、磁性体層とコイル用渦巻パターンとを該コイル用渦巻パターンが層間で接続されるように交互に積層されているコイル部と、抵抗部と、を備えた積層型ＬＣＲ素子であって、コイル部５１とコンデンサ部５２とがダミーシート１５を介して上下に積層され、外部電極（Ａ１），（Ｃ１）には各４個あるうちの一番左端の抵抗体５４及びコイル用渦巻パターン５５の両端が接続されていて、外部電極（Ａ１），（Ｃ１）間にレジスタンスＲとインダクタンスＬとが並列関係を有して形成され、外部電極（Ａ１），（Ｂ１）には４個あるうちの一番左端のコンデンサ電極５６ｂ，５６ｂと５６ａ，５６ａがそれぞれ接続されていて、外部電極（Ａ１）−（Ｂ１）間にキャパシタンスＣが形成され、同様にして、他の外部電極（Ａ２）〜（Ｃ４）もそれぞれ抵抗体５４及びコイル用渦巻パターン５５の両端に、またはコンデンサ電極５６ａ，５６ｂに接続されて、外部電極間にレジスタンスＲ、インダクタンスＬ、またはキャパシタンスＣを形成し、外部電極（Ｂ１）、（Ｂ２）、（Ｂ３）、（Ｂ４）が接地された、４個の回路が並設されたアレータイプの積層型ＬＣＲ素子５０」
　
　刊行物２の記載
　同じく原査定の拒絶の理由（平成１６年７月９日付け拒絶理由通知書）に引用された特開２０００−３３１８７９号公報（平成１２年１１月３０日出願公開。以下、「刊行物２」という。）には、積層コンデンサアレイに関して、図面と共に、以下の事項が記載されている。
　
【００１４】
【課題を解決するための手段】本発明は、複数の積層コンデンサユニットが一体化された積層コンデンサアレイであって、セラミック焼結体と、前記セラミック焼結体に構成された複数の積層コンデンサユニットとを備え、各積層コンデンサユニットが、セラミック層を介して厚み方向に重なり合うように配置されており、かつセラミック焼結体側面に引き出されている引き出し部を有する複数の内部電極と、セラミック焼結体の外表面に形成されておりいずれかの内部電極に電気的に接続された第１，第２の外部電極とを有し、かつ複数の前記積層コンデンサユニットがセラミック焼結体内において厚み方向に積層されていることを特徴とする。
　
　刊行物３の記載
　同じく原査定の拒絶の理由（平成１６年７月９日付け拒絶理由通知書）に引用された特開２０００−２２８３２９号公報（平成１２年８月１５日出願公開。以下、「刊行物３」という。）には、多連型積層セラミックコンデンサに関して、図面と共に、以下の事項が記載されている。
　
【００１４】
【発明の実施の形態】本発明の請求項１に記載の発明は、内部に複数層の内部電極と複数層の誘電体層を積層した積層体と、その外側面に所定間隔を置いて規則的に設けた、複数対の外部電極とからなるコンデンサアレイにおいて、前記コンデンサアレイは複数の積層コンデンサを積層体内部の厚み方向に構成し、前記内部電極は、それぞれ前記外部電極と電気的に接続する入出力端子部を設けると共に、入出力端子部以外は積層体の外周部から一定幅の内部電極非形成部を設け広面積に形成され、更に前記積層体の厚み方向に複数形成した積層コンデンサ間毎にクロストーク防止回路を設けたことを特徴とするコンデンサアレイである。
　
　刊行物４の記載
　原査定において周知技術として引用された特開平３−１５１６０５号公報（平成３年６月２７日出願公開。以下、「刊行物４」という。）には、ノイズ対策用ネットワーク電子部品に関して、図面と共に、以下の事項が記載されている。
　
［第２実施例、第４図〜第６図］
　第４図及び第５図に示すπ形ノイズフィルタネットワーク２６は、１個のコイルと２個の積層コンデンサとから成るπ形ノイズフィルタを６個備えている。コンデンサ部２７と２８との上側にコイル部２９が積層される。さらに、絶縁シート２０がコイル部２９の上側に１枚、コンデンサ部２８の下側に１枚積層される。外部電極（Ａ）には６個のコンデンサ電極１１ｆが接続され、外部電極（Ｃ）にはコンデンサ電極１１ｅが接続されて外部電極（Ａ）−（Ｃ）間に静電容量Ｃ１が形成される。外部電極（Ｂ）には６個のコンデンサ電極１１ｄが接続され、コンデンサ電極１１ｅが接続される外部電極（Ｃ）との間に静電容量Ｃ２が形成きれる。さらに、外部電極（Ａ）にはコイル用渦巻パターン６ｄの一方の終端が接続きれ、他方の終端は矩形スルーホール３０を介してコイル用渦巻パターン６ｃに電気的に接続きれて外部電極（Ａ）−（Ｂ）間にインダクタンスＬ１が形成される。
　
　刊行物５の記載
　原査定において周知技術として引用された実願平５−３７７１９号（実開平７−１０９１４号）のＣＤ−ＲＯＭ（平成７年２月１４日出願公開。以下、「刊行物５」という。）には、ＬＣ複合部品アレイに関して、図面と共に、以下の事項が記載されている。
　
　【００１１】
  図３及び図４に示すように、各シート１，６が積層された状態では、コンデンサ信号電極２とコンデンサグランド電極４にて四つのコンデンサ素子を形成し、コンデンサ信号電極３とコンデンサグランド電極５にて四つのコンデンサ素子を形成し、同様にコイル導体７，８にて四つのインダクタ素子を形成している。隣接するインダクタ素子は、コンデンサ部１２を挟んでそれぞれコイル部１３，１４に千鳥状に配設されている。従って、ＬＣ複合部品アレイの厚み方向に対して等しい位置にインダクタ素子を並設していた従来のＬＣ複合部品アレイと比較して、隣接するインダクタ素子の間隔を広くすることができる。この結果、隣接するインダクタ素子の間に発生する磁気的及び静電的結合によるクロストークが抑えられたＬＣ複合部品アレイが得られる。図５は第１実施例のπ型ＬＣ複合部品アレイの電気等価回路図である。
　
３．対比
　
　本願発明と刊行物１記載発明とを比較すると、刊行物１記載発明の「磁性体層」は、本願発明の「絶縁体層」に相当する。
　
　また、刊行物１記載発明の「コイル部」は、磁性体層とコイル用渦巻パターンとを該コイル用渦巻パターンが層間で接続されるように交互に積層されており、４個設けられているから、本願発明の「複数の導体パターンをそれぞれ絶縁体層に配置して複数ラインのコイルを形成する」ことに相当する。
　
　また、刊行物１記載発明の「コンデンサ部」は、磁性体層とコンデンサ電極層とが交互に積層され、４個設けられており、コイル部５１とコンデンサ部５２とがダミーシート１５を介して上下に積層されるから、本願発明の「コイルが存在する絶縁体層と異なる絶縁体層の部分で、絶縁体層を挟んで導体パターンを相互に対向させて複数ラインのコンデンサを形成」することに相当する。
　
　また、刊行物１記載発明の「積層型ＬＣＲ素子５０」は、アレータイプであり、磁性体層とコンデンサ電極層とが交互に積層されているコンデンサ部と、磁性体層とコイル用渦巻パターンとを該コイル用渦巻パターンが層間で接続されるように交互に積層されているコイル部とを備えているから、本願発明の「導体パターンを内部に配置した状態で絶縁体層を積層して形成された積層型ＬＣフィルタアレイ」とは、「導体パターンを内部に配置した状態で絶縁体層を積層して形成された積層型フィルタアレイ」である点で一致する。
　
　また、刊行物１記載発明において、「外部電極（Ａ１），（Ｃ１）には各４個あるうちの一番左端の抵抗体５４及びコイル用渦巻パターン５５の両端が接続されていて、外部電極（Ａ１），（Ｃ１）間にレジスタンスＲとインダクタンスＬとが並列関係を有して形成され、外部電極（Ａ１），（Ｂ１）には４個あるうちの一番左端のコンデンサ電極５６ｂ，５６ｂと５６ａ，５６ａがそれぞれ接続されていて、外部電極（Ａ１）−（Ｂ１）間にキャパシタンスＣが形成され、同様にして、他の外部電極（Ａ２）〜（Ｃ４）もそれぞれ抵抗体５４及びコイル用渦巻パターン５５の両端に、またはコンデンサ電極５６ａ，５６ｂに接続されて、外部電極間にレジスタンスＲ、インダクタンスＬ、またはキャパシタンスＣを形成」し、「外部電極（Ｂ１）、（Ｂ２）、（Ｂ３）、（Ｂ４）が接地され」るから、刊行物１記載発明は、本願発明の「各ラインのコイルにそれぞれ接続される複数のコンデンサ」及び「絶縁体層を積層して形成された本体積層部の外側に複数の信号用外部電極及び接地用外部電極が配置され」る構成を備えている。
　
　したがって、両者の発明の一致点、相違点は以下のとおりである。
　
［一致点］　
　「導体パターンを内部に配置した状態で絶縁体層を積層して形成された積層型フィルタアレイであって、
　複数の導体パターンをそれぞれ絶縁体層に配置して複数ラインのコイルを形成すると共に、コイルが存在する絶縁体層と異なる絶縁体層の部分で、絶縁体層を挟んで導体パターンを相互に対向させて複数ラインのコンデンサを形成し、
　各ラインのコイルにそれぞれ接続される複数のコンデンサを設け、
　絶縁体層を積層して形成された本体積層部の外側に複数の信号用外部電極及び接地用外部電極が配置される積層型フィルタアレイ。」
　
［相違点１］
　各ラインのコイルにそれぞれ接続される複数のコンデンサが、本願発明においては、コンデンサが形成される各絶縁体層に、複数ラインのコンデンサの内の１つのコンデンサのみが設置されることで、絶縁体層が積層される方向に沿ってそれぞれ配置しているのに対し、刊行物１記載発明は、そのような記載がない点。
　
［相違点２］
　本願発明が、各ラインのコイルの両端側がそれぞれ信号用外部電極を介してコンデンサの一つの導体パターンにそれぞれ接続されることで、一つのコイル当たり二つずつのコンデンサが接続される構成としかつ、各ラインのコイルの一端側に接続される各コンデンサが順次積層され、各ラインのコイルの他端側に接続される各コンデンサが続いて順次積層され、各コンデンサの他の導体パターンが同一の接地用外部電極にそれぞれ直接接続されるのに対し、刊行物１記載発明はそのような記載がない点。
　
［相違点３］
　積層型フィルタアレイのフィルタが、本願発明では、ＬＣフィルタであるのに対し、刊行物１記載発明はＬＣＲフィルタである点。
　
４．判断　
　
［相違点１］について
　刊行物２に記載された「複数の積層コンデンサユニットが一体化された積層コンデンサアレイ」で「各積層コンデンサユニットが、セラミック層を介して厚み方向に重なり合うように配置される」こと、刊行物３に記載された「コンデンサアレイは複数の積層コンデンサを積層体内部の厚み方向に構成すること」は、本願発明の「コンデンサが形成される各絶縁体層に、複数ラインのコンデンサの内の１つのコンデンサのみが設置されることで、複数のコンデンサを、絶縁体層が積層される方向に沿ってそれぞれ配置」することに相当する。
　
　そうすると、刊行物１記載発明において、刊行物２、３の記載のように、コンデンサが形成される各絶縁体層に、複数ラインのコンデンサの内の１つのコンデンサのみが設置されることで、複数のコンデンサを、絶縁体層が積層される方向に沿ってそれぞれ配置することは当業者が容易になし得たことである。
　
［相違点２、３］について　
　刊行物４、５に記載されている様に「フィルタにおいて、ＬＣフィルタとすること」、及び、「各ラインのコイルの両端側がそれぞれ信号用外部電極を介してコンデンサの一つの導体パターンにそれぞれ接続されることで、一つのコイル当たり二つずつのコンデンサが接続される構成としかつ、各ラインのコイルの一端側に接続される各コンデンサが順次積層され、各ラインのコイルの他端側に接続される各コンデンサが続いて順次積層され、各コンデンサの他の導体パターンが同一の接地用外部電極にそれぞれ直接接続」することは、それぞれ本願出願前に普通に知られていた周知技術である。
　
　そうすると、刊行物１記載発明において、積層型ＬＣフィルタアレイとし、各ラインのコイルの両端側がそれぞれ信号用外部電極を介してコンデンサの一つの導体パターンにそれぞれ接続されることで、一つのコイル当たり二つずつのコンデンサが接続される構成としかつ、各ラインのコイルの一端側に接続される各コンデンサが順次積層され、各ラインのコイルの他端側に接続される各コンデンサが続いて順次積層され、各コンデンサの他の導体パターンが同一の接地用外部電極にそれぞれ直接接続させることはそれぞれ当業者が適宜になし得る設計事項にすぎない。
　
　そして、本願発明の構成を採用することによる作用効果も、刊行物１記載発明、刊行物２、３の記載及び周知技術から当業者が予測できる範囲のものである。　
　
　したがって、本願発明は、刊行物１記載発明、刊行物２、３の記載及び周知技術に基づいて、当業者が容易に発明をすることができたものである。
　
第３．むすび
　以上のとおり、本願発明は、刊行物１記載発明、刊行物２、３の記載及び周知技術に基づいて、当業者が容易に発明をすることができたものであるから、特許法第２９条第２項の規定により特許を受けることができない。
　
　よって、結論のとおり審決する。